【手続補正書】
【提出日】平成19年12月18日(2007.12.18)
【手続補正１】
【補正対象書類名】特許請求の範囲
【補正対象項目名】全文
【補正方法】変更
【補正の内容】
【特許請求の範囲】
【請求項１】
底部及び前記底部から延長され溝を形成する側部を含む収納容器と、
前記底部に密着され反射部及び前記反射部から延長され前記溝に挿入される固定部を含む反射部材と、
前記反射部材上部に配置される光源と、
を含むバックライトアセンブリ。
【請求項２】
前記側部は、
前記底部から垂直に延長された側壁と、
前記側壁から前記収納容器の内側に延長され前記溝を形成する支持部と、を含むことを特徴とする請求項１記載のバックライトアセンブリ。
【請求項３】
前記側壁は、第１側壁、第２側壁、第３側壁、及び第４側壁を含み、前記第１ないし第４側壁のうち、二つの側壁は前記支持部と接触することを特徴とする請求項２記載のバックライトアセンブリ。
【請求項４】
前記固定部は、
前記反射部から上方に延長される第１固定面と、
前記第１固定面から外部に延長され前記支持部に密着される第２固定面と、
前記第２固定面から下方に延長され、前記側壁と密着される第３固定面と、
を含むことを特徴とする請求項２記載のバックライトアセンブリ。
【請求項５】
前記第１固定面は、前記反射部と成す内角が鈍角になるように斜めの方向に形成されることを特徴とする請求項４記載のバックライトアセンブリ。
【請求項６】
前記反射部材には前記反射部と前記第１固定面とが接する境界に第１グルーブが形成されることを特徴とする請求項４記載のバックライトアセンブリ。
【請求項７】
前記第１グルーブは、開口された円の形状を有することを特徴とする請求項６記載のバックライトアセンブリ。
【請求項８】
前記反射部材には、前記第１固定面と前記第２固定面とが接する境界に第２グルーブが形成されることを特徴とする請求項４記載のバックライトアセンブリ。
【請求項９】
前記第２グルーブは、開口された円の形状を有することを特徴とする請求項８記載のバックライトアセンブリ。
【請求項１０】
前記反射部材には前記第２固定面と前記第３固定面とが接する境界に第３グルーブが形成されることを特徴とする請求項４記載のバックライトアセンブリ。
【請求項１１】
前記第３グルーブは、開口された円の形状を有することを特徴とする請求項１０記載のバックライトアセンブリ。
【請求項１２】
前記光源の上部に配置され、前記光源からの光を拡散させる拡散板を更に含むことを特徴とする請求項２記載のバックライトアセンブリ。
【請求項１３】
前記拡散板は、前記支持部によって支持されることを特徴とする請求項２記載のバックライトアセンブリ。
【請求項１４】
結合孔の形成された底部及び前記底部から延長され溝を形成する側部を含む収納容器と、
貫通孔が形成され、前記底部に密着される反射部及び前記反射部から延長され前記溝に挿入される固定部を含む反射部材と、
前記反射部材上部に配置され、少なくとも一つのランプを有する光源と、
前記ランプを前記底部に結合させる光源固定部と、
前記光源の上部に配置され前記光源からの光を拡散させる拡散板と、
を含むことを特徴とするバックライトアセンブリ。
【請求項１５】
前記側部は、
前記底部から垂直に延長された側壁と、
前記側壁から前記収納容器の内側に延長され、前記溝を形成する支持部と、
を含み、
前記側壁は、第１側壁、第２側壁、第３側壁、及び第４側壁を含むことを特徴とする請求項１４記載のバックライトアセンブリ。
【請求項１６】
前記固定部は、
前記反射部から上方に延長される第１固定面と、
前記第１固定面から外部に延長され、前記支持部に密着される第２固定面と、
前記第２固定面から下方に延長され、前記側壁と密着される第３固定面と、
を含み、
前記第１固定面と前記反射部との角は鈍角であることを特徴とする請求項１４記載のバックライトアセンブリ。
【請求項１７】
前記反射部材には前記反射部と前記第１固定面とが接する境界に第１グルーブが形成されることを特徴とする請求項１６記載のバックライトアセンブリ。
【請求項１８】
前記第１グルーブは、開口された円の形状を有することを特徴とする請求項１７に記載のバックライトアセンブリ。
【請求項１９】
前記反射部材には、前記第１固定面と前記第２固定面とが接する境界に第２グルーブが形成されることを特徴とする請求項１６記載のバックライトアセンブリ。
【請求項２０】
前記第２グルーブは、開口された円の形状を有することを特徴とする請求項１９記載のバックライトアセンブリ。
【請求項２１】
前記反射部材には、前記第２固定面と前記第３固定面とが接する境界に第３グルーブが形成されることを特徴とする請求項１６記載のバックライトアセンブリ。
【請求項２２】
前記第３グルーブは、開口された円の形状を有することを特徴とする請求項２１記載のバックライトアセンブリ。
【請求項２３】
前記ランプ固定部材は、
前記ランプが挿入され、開口された円の形状を有するランプ固定部と、
前記拡散板を支持する拡散板支持部と、
前記貫通孔及び前記結合孔を通じて前記底部と結合される結合部と、を含むことを特徴とする請求項１６記載のバックライトアセンブリ。
【請求項２４】
前記側部と接触し、前記ランプを安全に収納するランプホルダーを更に含むことを特徴とする請求項２３記載のバックライトアセンブリ。
【請求項２５】
前記ランプの末端部に対応されるように配置され、前記拡散板を支持するサイドモールドをさらに含むことを特徴とする請求項２４記載のバックライトアセンブリ。
【請求項２６】
前記サイドモールドは、前記拡散板の実装位置をガイドするための突出部をさらに含み、前記拡散板は前記突出部に対応するガイド溝を含むことを特徴とする請求項２５記載のバックライトアセンブリ。
【請求項２７】
前記拡散板の上部に配置される光学シートと、
前記拡散板及び前記光学シートの端部位を固定するミドルモールドと、
前記光源の発光のための電源を供給するインバーターと、
をさらに含むことを特徴とする請求項２６記載のバックライトアセンブリ。
【請求項２８】
結合孔の形成された底部及び前記底部から延長され溝を形成する側部を含む収納容器と、貫通孔が形成され、前記底部に密着される反射部及び前記反射部から延長され前記溝に挿入される固定部を含む反射部材と、前記反射部材上部に配置される光源とを含むバックライトアセンブリと、
前記バックライトアセンブリから供給される光を用いて画像を表示する液晶表示パネルと、
を含むことを特徴とする液晶表示装置。
【請求項２９】
前記側部は、
前記底部から垂直に延長された側壁と、
前記側壁から前記収納容器の内側に延長され前記溝を形成する支持部と、を含むことを特徴とする請求項２８記載の液晶表示装置。
【請求項３０】
前記側壁は、第１側壁、第２側壁、第３側壁、及び第４側壁を含み、前記第１ないし第４側壁のうち、二つの側壁は前記支持部と接触することを特徴とする請求項２９記載の液晶表示装置。
【請求項３１】
前記固定部は、
前記反射部から上方に延長される第１固定面と、
前記第１固定面から外部に延長され前記支持部に密着される第２固定面と、
前記第２固定面から下方に延長され、前記側壁と密着される第３固定面と、
を含むことを特徴とする請求項２９記載の液晶表示装置。
【請求項３２】
前記反射部材には、前記反射部と前記第１固定面とが接する境界に第１グルーブが形成されることを特徴とする請求項３１記載の液晶表示装置。
【請求項３３】
前記第１グルーブは、開口された円の形状を有することを特徴とする請求項３２記載の液晶表示装置。
【請求項３４】
前記反射部材には、前記第１固定面と前記第２固定面とが接する境界に第２グルーブが形成されることを特徴とする請求項３１記載の液晶表示装置。
【請求項３５】
前記第２グルーブは、開口された円の形状を有することを特徴とする請求項３４記載の液晶表示装置。
【請求項３６】
前記反射部材には、前記第２固定面と前記第３固定面とが接する境界に第３グルーブが形成されることを特徴とする請求項３１記載の液晶表示装置。
【請求項３７】
前記第３グルーブは、開口された円の形状を有することを特徴とする請求項３６記載の液晶表示装置。
【請求項３８】
光源固定部材を更に含み、前記光源は前記光源固定部材によって前記底部に結合される少なくとも一つのランプを含むことを特徴とする請求項３１に記載の液晶表示装置。
【請求項３９】
前記ランプ固定部材は、
前記ランプが挿入され、開口された円の形状を有するランプ固定部と、
前記拡散板を支持する拡散板支持部と、
前記貫通孔及び前記結合孔を通じて前記底部と結合される結合部と、
を含むことを特徴とする請求項３８記載の液晶表示装置。
【請求項４０】
前記側部と接触し、前記ランプを安全に収納するランプホルダーを更に含むことを特徴とする請求項３９記載の液晶表示装置。
【請求項４１】
前記光源上に配置され、前記光源からの光を拡散させる拡散板を更に含むことを特徴とする請求項４０記載の液晶表示装置。
【請求項４２】
前記ランプの末端部に対応するように配置され、前記拡散板を支持するサイドモールドを更に含み、
前記サイドモールドは、前記拡散板の実装位置をガイドするための突出部を含み、前記拡散板は、前記突出部に対応するガイド溝を含むことを特徴とする請求項４１記載の液晶表示装置。
【請求項４３】
前記拡散板の上部に配置される光学シートと、
前記拡散板及び前記光学シートの縁部を固定するミドルモールドと、
前記光源の発光のための電源を供給するインバーターと、
をさらに含むことを特徴とする請求項４２記載のバックライトアセンブリ。
【手続補正２】
【補正対象書類名】明細書
【補正対象項目名】０００６
【補正方法】変更
【補正の内容】
【０００６】
前述した本発明の目的を達成するためのバックライトアセンブリは、収納容器、反射部材、光源を含む。前記収納容器は、底部及び前記底部から延長され溝を形成する側部を含む。前記反射部材は、前記底部に密着され反射部及び前記反射部から延長され前記溝に挿入される固定部を含む。前記光源は前記反射部材の上部に配置される。前記光源の上部に、前記光源からの光を拡散させる拡散板を更に含んでもよい。
前記側部は、前記底部から垂直に延長された側壁、及び前記側壁から前記収納容器の内側に延長され前記溝を形成する支持部を含む。前記側壁は、第１側壁、第２側壁、第３側壁、及び第４側壁を含み、前記第１ないし第４側壁のうち、二つの側壁は前記支持部と接触する。
前記固定部は、前記反射部から上方に延長される第１固定面、前記第１固定面から外部に延長され前記支持部に密着される第２固定面、及び前記第２固定面から下方に延長され、前記側壁と密着される第３固定面を含む。ここで、前記第１固定面は、前記反射部と成す内角が鈍角になるように斜めの方向に形成される。
【手続補正３】
【補正対象書類名】明細書
【補正対象項目名】０００７
【補正方法】変更
【補正の内容】
【０００７】
前記反射部材は、前記反射部と前記第１固定面とが接する境界に形成された第１グルーブ、前記第１固定面と前記第２固定面とが接する境界に形成された第２グルーブ、及び前記第２固定面と第３固定面とが接する境界に形成された第３グルーブをさらに含む。前記第１グルーブは、開口された円の形状を有し、前記第２グルーブは、開口された円の形状を有し、前記第３グルーブは、開口された円の形状を有する。
本発明の目的を達成するための液晶表示装置は、バックライトアセンブリ及び液晶表示パネルを含む。前記バックライトアセンブリは、結合孔の形成された底部及び前記底部から延長され溝を形成する側部を含む収納容器と、貫通孔が形成され、前記底部に密着される反射部及び前記反射部から延長され前記溝に挿入される固定部を含む反射部材と、前記反射部材上部に配置される光源と、を含む。前記液晶表示パネルは前記バックライトアセンブリから供給される光を用いて画像を表示する。
このようなバックライトアセンブリ及びこれを有する液晶表示装置によると、反射部材組立工程を単純化させることができ、バックライトアセンブリのサイズを減少させることができる。